(57)【特許請求の範囲】
【請求項１】
ガスコンロ本体の上面のトッププレートに形成したバーナ用開口を経て、その外周に形成された炎孔部が前記トッププレートの上方に突出するように設けられた環状のコンロバーナと、
このコンロバーナの点消火および火力の制御を行う制御部と、
前記コンロバーナにて加熱される調理用具が載置される五徳と、
前記調理用具の底面温度を検出する温度検出装置と、を備え、かつ、
前記温度検出装置が、前記ガスコンロ本体の任意の固定部に固定されて縦方向に伸びる固定側支持部材と、前記固定側支持部材の外側に嵌挿されるとともに、上方に付勢され、かつ、上下動可能に支持された移動側支持筒と、前記移動側支持筒の上端に配設され、前記調理用具の上下動に追随して上下動することにより、前記調理用具の底面に常時当接するように構成された当接体と、前記当接体の下面側に、前記当接体と熱的に結合するような態様で配設されたサーミスタと、を備えたガスコンロであって、
前記制御部は、前記サーミスタによって前記調理用具の底面温度を検出する温度検出モードと、前記サーミスタの温度を上昇させる温度上昇モードと、この温度上昇モードを終了した後、前記サーミスタによる温度検出値の変化に基づいて前記当接体が前記調理用具の底面に当接しているか否かを判定する当接検出モードと、を実行し、
前記当接検出モードにおいて、前記温度上昇モードを終了した後、所定時間の経過時点における前記サーミスタによる温度検出値が、前記温度上昇モードの開始直前における前記サーミスタによる温度検出値より、所定の閾値温度差以上大きいとき、前記当接体が前記調理用具の底面に当接していないと判定し、
前記制御部が、前記当接検出モードの実行によって前記当接体が前記調理用具の底面に当接していないと判定した場合、前記コンロバーナによる加熱を行わないように構成されているとともに、
前記温度上昇モードが、前記サーミスタに通電して自己発熱させることで実行されるように構成されていること
を特徴とする、温度検出装置を備えたガスコンロ。
【請求項２】
ガスコンロ本体の上面のトッププレートに形成したバーナ用開口を経て、その外周に形成された炎孔部が前記トッププレートの上方に突出するように設けられた環状のコンロバーナと、
このコンロバーナの点消火および火力の制御を行う制御部と、
前記コンロバーナにて加熱される調理用具が載置される五徳と、
前記調理用具の底面温度を検出する温度検出装置と、を備え、かつ、
前記温度検出装置が、前記ガスコンロ本体の任意の固定部に固定されて縦方向に伸びる固定側支持部材と、前記固定側支持部材の外側に嵌挿されるとともに、上方に付勢され、かつ、上下動可能に支持された移動側支持筒と、前記移動側支持筒の上端に配設され、前記調理用具の上下動に追随して上下動することにより、前記調理用具の底面に常時当接するように構成された当接体と、前記当接体の下面側に、前記当接体と熱的に結合するような態様で配設されたサーミスタと、を備えたガスコンロであって、
前記制御部は、前記サーミスタによって前記調理用具の底面温度を検出する温度検出モードと、前記サーミスタの温度を上昇させる温度上昇モードと、この温度上昇モードを終了した後、前記サーミスタによる温度検出値の変化に基づいて前記当接体が前記調理用具の底面に当接しているか否かを判定する当接検出モードと、を実行し、
前記当接検出モードにおいて、前記温度上昇モードを終了した後、所定時間の経過時点における前記サーミスタによる温度検出値が、前記温度上昇モードの開始直前における前記サーミスタによる温度検出値より、所定の閾値温度差以上大きいとき、前記当接体が前記調理用具の底面に当接していないと判定し、
前記制御部が、前記当接検出モードの実行によって前記当接体が前記調理用具の底面に当接していないと判定した場合、前記コンロバーナによる加熱を行わないように構成されているとともに、
前記五徳上に前記調理用具が載置されたことを前記移動側支持筒の上下動によって検出する調理用具検出部を備え、
前記コンロバーナによる加熱を停止した後、前記コンロバーナによる加熱を行わない時間が所定の停止時間以上継続し、かつ、前記五徳上に前記調理用具が載置されたことを前記調理用具検出部が検出しているとき、前記制御部が、前記温度上昇モードと前記当接検出モードとを実行するように構成されていること
を特徴とする、温度検出装置を備えたガスコンロ。
【請求項３】
前記制御部が、前記当接検出モードの実行によって前記当接体が前記調理用具の底面に当接していないと判定して前記コンロバーナによる加熱を行わないとき、報知を行うことを特徴とする請求項１または２記載の、温度検出装置を備えたガスコンロ。
【請求項４】
前記報知を行っているとき、所定の操作によって、前記制御部が、前記温度上昇モードと前記当接検出モードとを実行することを特徴とする請求項３記載の、温度検出装置を備えたガスコンロ。
【発明の詳細な説明】
【技術分野】
【０００１】
本発明は、ガスコンロに関し、詳しくは、調理中の鍋などの調理用具の温度を検出するための温度検出装置を備えたガスコンロに関する。
【背景技術】
【０００２】
ガスコンロの中には、加熱手段と、調理中の鍋などの調理用具の下面に当接して、該調理用具の温度を検出する温度センサを備えたガスコンロがある。
そして、そのようなガスコンロに用いられる温度検出装置の一つに、例えば特許文献１に記載されているような温度検出装置がある。
【０００３】
この温度検出装置は、鍋などの調理用具の底面に上端が弾接して調理用具の底面の温度を検知する調理温度検出装置を環状のコンロ用バーナの略中央に垂直に挿通するように配置し、調理温度検出装置の外周に隙間を隔てて防熱筒を配置すると共に防熱筒を調理温度検出装置に一体に装着し、防熱筒の下端に防熱筒の内周と調理温度検出装置の外周との間の隙間とコンロ用バーナの内周部の空間とを連通させる通気用開口部を設け、防熱筒の上端を調理温度検出装置の上端面より低くして調理用具の底面との間に通気隙間を形成するようにしたものである。
【０００４】
すなわち、特許文献１の温度検出装置は、調理用具の温度を正確に検知するため、温度センサの周囲に隙間を隔てて防熱筒を配置し、火炎からの輻射熱を遮断して温度センサが輻射熱の影響を受けるのを防止するようにしている。
【０００５】
そして、特許文献１の温度検出装置をガスコンロに用いることにより、上記温度検出装置を、こんろバーナの中心部に配設し、炊飯・煮物・油もの調理をする際に、上記温度センサの検知温度が所定の条件に達したときに加熱を停止したり加熱力を弱めたりする加熱制御を行うことが可能になり、有意義である。
【先行技術文献】
【特許文献】
【０００６】
【特許文献１】特開２０００−２８３４６８号公報
【発明の概要】
【発明が解決しようとする課題】
【０００７】
しかしながら、上述の特許文献１の温度検出装置にあっては、調理用具の下面に温度センサが当接しているか否かを判別することができず、上述のような加熱制御を行う場合に、適切な加熱制御を行うことができなくなる場合がある。
【０００８】
本発明は、上記従来の問題点に鑑みてなされたものであり、調理用具の下面に調理用具の温度を検知する温度センサが調理用具に確実に当接しているか否かを判別することが可能な温度検出器を備えたガスコンロであって、適切な加熱制御を行うことが可能なガスコンロを提供することを目的とする。
【課題を解決するための手段】
【０００９】
上記の目的を達成するために、本発明にかかる温度検出装置を備えたガスコンロは、
ガスコンロ本体の上面のトッププレートに形成したバーナ用開口を経て、その外周に形成された炎孔部が前記トッププレートの上方に突出するように設けられた環状のコンロバーナと、
このコンロバーナの点消火および火力の制御を行う制御部と、
前記コンロバーナにて加熱される調理用具が載置される五徳と、
前記調理用具の底面温度を検出する温度検出装置と、を備え、かつ、
前記温度検出装置が、前記ガスコンロ本体の任意の固定部に固定されて縦方向に伸びる固定側支持部材と、前記固定側支持部材の外側に嵌挿されるとともに、上方に付勢され、かつ、上下動可能に支持された移動側支持筒と、前記移動側支持筒の上端に配設され、前記調理用具の上下動に追随して上下動することにより、前記調理用具の底面に常時当接するように構成された当接体と、前記当接体の下面側に、前記当接体と熱的に結合するような態様で配設されたサーミスタと、を備えたガスコンロであって、
前記制御部は、前記サーミスタによって前記調理用具の底面温度を検出する温度検出モードと、前記サーミスタの温度を上昇させる温度上昇モードと、この温度上昇モードを終了した後、前記サーミスタによる温度検出値の変化に基づいて前記当接体が前記調理用具の底面に当接しているか否かを判定する当接検出モードと、を実行し、
前記当接検出モードにおいて、前記温度上昇モードを終了した後、所定時間の経過時点における前記サーミスタによる温度検出値が、前記温度上昇モードの開始直前における前記サーミスタによる温度検出値より、所定の閾値温度差以上大きいとき、前記当接体が前記調理用具の底面に当接していないと判定し、
前記制御部が、前記当接検出モードの実行によって前記当接体が前記調理用具の底面に当接していないと判定した場合、前記コンロバーナによる加熱を行わないように構成されているとともに、
前記温度上昇モードが、前記サーミスタに通電して自己発熱させることで実行されるように構成されていること
を特徴としている。
【００１０】
また、本発明の他の、温度検出装置を備えたガスコンロは、
ガスコンロ本体の上面のトッププレートに形成したバーナ用開口を経て、その外周に形成された炎孔部が前記トッププレートの上方に突出するように設けられた環状のコンロバーナと、
このコンロバーナの点消火および火力の制御を行う制御部と、
前記コンロバーナにて加熱される調理用具が載置される五徳と、
前記調理用具の底面温度を検出する温度検出装置と、を備え、かつ、
前記温度検出装置が、前記ガスコンロ本体の任意の固定部に固定されて縦方向に伸びる固定側支持部材と、前記固定側支持部材の外側に嵌挿されるとともに、上方に付勢され、かつ、上下動可能に支持された移動側支持筒と、前記移動側支持筒の上端に配設され、前記調理用具の上下動に追随して上下動することにより、前記調理用具の底面に常時当接するように構成された当接体と、前記当接体の下面側に、前記当接体と熱的に結合するような態様で配設されたサーミスタと、を備えたガスコンロであって、
前記制御部は、前記サーミスタによって前記調理用具の底面温度を検出する温度検出モードと、前記サーミスタの温度を上昇させる温度上昇モードと、この温度上昇モードを終了した後、前記サーミスタによる温度検出値の変化に基づいて前記当接体が前記調理用具の底面に当接しているか否かを判定する当接検出モードと、を実行し、
前記当接検出モードにおいて、前記温度上昇モードを終了した後、所定時間の経過時点における前記サーミスタによる温度検出値が、前記温度上昇モードの開始直前における前記サーミスタによる温度検出値より、所定の閾値温度差以上大きいとき、前記当接体が前記調理用具の底面に当接していないと判定し、
前記制御部が、前記当接検出モードの実行によって前記当接体が前記調理用具の底面に当接していないと判定した場合、前記コンロバーナによる加熱を行わないように構成されているとともに、
前記五徳上に前記調理用具が載置されたことを前記移動側支持筒の上下動によって検出する調理用具検出部を備え、
前記コンロバーナによる加熱を停止した後、前記コンロバーナによる加熱を行わない時間が所定の停止時間以上継続し、かつ、前記五徳上に前記調理用具が載置されたことを前記調理用具検出部が検出しているとき、前記制御部が、前記温度上昇モードと前記当接検出モードとを実行するように構成されていること
を特徴としている。
【００１１】
また、前記制御部が、前記当接検出モードの実行によって前記当接体が前記調理用具の底面に当接していないと判定して前記コンロバーナによる加熱を行わないとき、報知を行うように構成されていることが好ましい。
【００１２】
また、前記報知を行っているとき、所定の操作によって、前記制御部が、前記温度上昇モードと前記当接検出モードとを実行するように構成されていることが好ましい。
【発明の効果】
【００１３】
本発明の温度検出装置を備えたガスコンロは、上述のように構成されているので、調理用具の温度を検知するための温度検出装置（温度センサ）、詳しくは、温度検出装置（温度センサ）の当接体が、温度センサが調理用具に確実に当接しているか否かを判別することができる。その結果、本発明によれば、適切な加熱制御を行うことが可能な温度検出装置を備えたガスコンロを実現することができる。
【００１４】
また、温度上昇モードが、サーミスタに通電して自己発熱させることで実行されるようにしているので、構成を簡素化して、製造コストを低減することが可能になり、適切な加熱制御を行うことが可能で、経済性に優れた温度検出装置を備えたガスコンロを提供することができる。
【００１５】
また、本発明の他の、温度検出装置を備えたガスコンロは、五徳上に調理用具が載置されたことを移動側支持筒の上下動によって検出する調理用具検出部を備え、コンロバーナによる加熱を停止した後、コンロバーナによる加熱を行わない時間が所定の停止時間以上継続し、かつ、五徳上に調理用具が載置されたことを調理用具検出部が検出しているとき、制御部が、温度上昇モードと当接検出モードとを実行するように構成されているので、温度上昇モードと当接検出モードとを実行する際における、コンロバーナの加熱による熱影響を回避することが可能になり、当接体が調理用具の底面に当接しているか否かを的確に判定することができるようになる。
【００１６】
また、当接体が調理用具の底面に当接していないと判定してコンロバーナによる加熱を行わないとき、報知を行うようにした場合、使用者が加熱を行わない原因を知ることが可能になり、使い勝手を向上させることができる。
【００１７】
また、報知を行っているとき、所定の操作によって、制御部が、温度上昇モードと当接検出モードとを実行するようにした場合、良好な使い勝手を実現することができる。
【００１８】
すなわち、例えば当接体と調理用具の底面の間にゴミが介在すると、当接体と調理用具の底面とが当接しない要因となるが、そのような場合に、ゴミを除去して当接しない要因を取り除いた後、所定の操作を行うことによって、制御部が、温度上昇モードと当接検出モードとを実行し、コンロバーナによる加熱を行うことができるようになるので、良好な使い勝手を実現することができる。
【図面の簡単な説明】
【００１９】
【図１】本発明の一実施形態にかかる、温度検出装置を備えたガスコンロを示す平面図である。
【図２】本発明の一実施形態にかかる、温度検出装置を備えたガスコンロを構成するガスバーナ周辺を示す側面図である。
【図３】本発明の一実施形態にかかる、温度検出装置を備えたガスコンロを構成する温度検出装置の要部縦断面図である。
【図４】本発明の一実施形態にかかる、温度検出装置を備えたガスコンロの制御部の要部を示す回路図である。
【図５】本発明の別実施形態にかかるガスコンロの温度検出装置の要部縦断面図である。
【図６】本発明の別実施形態にかかるガスコンロの制御部の要部を示す回路図である。
【図７】本発明の別実施形態にかかるガスコンロの付加機能操作・表示部の構成を示す図である。
【図８】本発明のガスコンロの一実施例におけるコンロのバーナ付近の縦断面図である。
【図９】（ａ）は温度検出モードにおいて温度検出装置の当接体が調理用具に当接している場合における温度検出値の変化の状態を示す図、（ｂ）は温度検出装置の当接体が調理用具に的確に当接していない場合における温度検出値の変化の状態を示す図である。
【発明を実施するための形態】
【００２０】
以下、本発明の実施例を示して、その特徴とするところを詳しく説明する。
【００２１】
［実施形態］
図１は、本発明の一実施例にかかる温度検出装置を備えたガスコンロ（ガステーブルコンロ）Ａを示す図である。この実施形態のガスコンロ（ガステーブルコンロ）Ａは、図１に示すようにガスコンロ本体０１の上面がトッププレート０２で覆われており、円筒状の構造（この実施形態では外径６６ｍｍ）を有する左バーナ３１および右バーナ３２の２つのガスバーナを備えている。
【００２２】
左および右のガスバーナ３１，３２は、トッププレート０２に形成したバーナ用開口（図示せず）を介して、その炎孔部３３をトッププレート０２の上方に突出させている。なお、炎孔部３３は、各ガスバーナ３１，３２を構成する、円環状の構造部の外周に形成されている。
【００２３】
この温度検出装置を備えたガスコンロ（ガステーブルコンロ）Ａにおいて、左バーナ３１および右バーナ３２より前方側に位置している、ガスコンロ本体０１の前面０１ａには、左バーナ３１の点消火操作を行うための左点消火操作部４１および右バーナ３２の点消火操作を行うための右点消火操作部４２が設けられている。
【００２４】
また、ガスコンロ本体０１内には、左点消火操作部４１および右点消火操作部４２の操作に基づいて、図示しないガスバルブの開閉および図示しないイグナイタの発停により左バーナ３１および右バーナ３２の点消火の制御を行い、また、図示しないステッピングモータ駆動によるガス量調整バルブの開度調節を行って左バーナ３１および右バーナ３２に供給されるガス量を調節して左バーナ３１および右バーナ３２の火力の制御を行う制御部（図示せず）を備えている。
【００２５】
また、ガステーブルコンロＡはガスグリル部（図示せず）を備えており、ガスコンロ本体１０の前面０１ａには、ガスグリル部の扉（図示せず）を開閉するためのグリル取っ手４４およびガスグリル部の点消火操作を行うためのグリル点消火操作部４３を備えおり、ガスグリル部における調理に伴う排気はトッププレート０２の後方に設けたグリル排気口４５から排出される。なお、ガスグリル部についての詳細な説明は省略する。
【００２６】
また、トッププレート０２上における左バーナ３１および右バーナ３２のそれぞれの炎孔部３３の周囲には、コンロバーナ（左バーナ３１、右バーナ３２）によって加熱される調理用具６０を載置する五徳５０が配置されている（図１、図２）。
【００２７】
五徳５０は、炎孔部３３の周囲に複数放射状に配置された、調理用具６０を載置するための五徳爪５１と、円環状の五徳リング５２とを備えており、各五徳爪５１の下端を、円環状の五徳リング５２に一体に結合することにより形成されている。
【００２８】
なお、ガステーブルコンロＡは左バーナ３１および右バーナ３２の２つのコンロバーナを備えるものであるが、左バーナ３１および右バーナ３２ともに本発明の実施形態としては同様の形態を有するものであるため、以下、左バーナ３１の実施形態について詳しく説明し、右バーナ３２についての詳細な説明は省略する。
【００２９】
このガステーブルコンロＡは、五徳５０上に載置された鍋などの調理用具６０の底面に接触して調理用具６０の底面の温度を検出する温度検出装置７２を備えており、温度検出装置７２を構成する、移動側支持筒５３、固定側支持部材５６が、左バーナ３１の中心を下から上に貫通するように設けられている（図１、図２．図３）。
【００３０】
そして、温度検出装置７２の移動側支持筒５３は、五徳５０への調理用具６０の載置と連動して上下に移動するように構成されている（図３）。
【００３１】
また、移動側支持筒５３の上端には、調理用具６０の上下動に追随して上下動することにより、調理用具６０の底面に常時当接するように構成された当接体５７が配設されている。
【００３２】
詳しく説明すると、温度検出装置７２は、図３に示すように、ガスコンロ本体０１の任意の固定部（図示せず）に固定されて縦方向に伸びる固定側支持部材５６と、固定側支持部材５６の外側に嵌挿され、スプリング５４によって上方に付勢され上下動可能に支持された移動側支持筒５３と、移動側支持筒５３の上端に配設され、調理用具６０の上下動に追随して上下動することにより、調理用具６０の底面に常時当接するように構成された当接体５７とを備えた構造を有している。
【００３３】
そして、当接体５７の下面側には、当接体５７と熱的に結合するような態様で配設された第１サーミスタ１０１が配設され、サーミスタ固定部材５８によって固定されている。
【００３４】
また、五徳５０に調理用具６０が載置され、当接体５７の上面の高さ位置が五徳上端の高さと同じ高位置となるとオン（導通）し、五徳５０から調理用具６０が移動され、当接体５７の上面の高さ位置が五徳上端の高さより高くなるとオフ（非導通）となる、調理用具検出スイッチ（加熱用具検出部）１００（図８）を備えている。
【００３５】
次に、この実施形態にかかるガスコンロＡの構成について、制御部の要部を示す回路図（図４）を参照しつつ説明する。
【００３６】
この実施形態にかかるガスコンロＡにおいては、制御部が、サーミスタ１０１によって調理用具６０の底面温度を検出する温度検出モードと、サーミスタ１０１の温度を上昇させる温度上昇モードと、この温度上昇モードを終了した後、サーミスタ１０１による温度検出値の変化に基づいて当接体５７が調理用具６０の底面に当接しているか否かを判定する当接検出モードとを実行するように構成されている。
【００３７】
温度検出モードでは、図４に示すトランジスタＴＲは、ＯＦＦされ、サーミスタ１０１は、直列抵抗Ｒ１を介して制御回路の電源Ｖｐに接続され、電源Ｖｐを直列抵抗Ｒ１とサーミスタ１０１の抵抗Ｒth1とで分圧した電圧Ｖth1がマイクロコンピュータのＡＤコンバータの入力ＩAD1に入力され、この電圧により、調理用具６０の底面温度が検出される。
【００３８】
また、温度上昇モードでは、図４に示すトランジスタＴＲが、ＯＮされ、直列抵抗Ｒ１を介さず、電源Ｖｐがサーミスタ１０１に直接印加されることで、サーミスタ１０１が自己発熱してサーミスタ１０１の温度が上昇する。
【００３９】
そして、トランジスタＴＲをＯＦＦして温度上昇モードを終了すると、サーミスタ１０１は、再び、直列抵抗Ｒ１を介して制御回路の電源Ｖｐに接続され、電源Ｖｐが直列抵抗Ｒ１とサーミスタ１０１の抵抗Ｒth1とで分圧された電圧Ｖth1がマイクロコンピュータのＡＤコンバータの入力ＩAD1に入力される。そして、この電圧Ｖth1により、調理用具６０の底面温度を検出する状態となり、サーミスタ１０１による温度検出値の変化に基づいて当接体５７が調理用具６０の底面に当接しているか否かの判定が行われる（すなわち、当接検出モードが実行される）ことになる。
【００４０】
この実施形態では、温度上昇モードは、図９（ａ），（ｂ）に示すＡからＢの期間（例えば５秒間）実行される。
【００４１】
なお、図９（ａ）は温度検出モードにおいて温度検出装置の当接体が調理用具に当接している場合における温度検出値の変化の状態を示し、（ｂ）は温度検出装置の当接体が調理用具に的確に当接していない場合における温度検出値の変化の状態を示している。
【００４２】
この実施形態のガスコンロＡにおいては、当接検出モードでは、図９（ａ），（ｂ）に示すＡからＢの期間（例えば５秒間）の温度上昇モードを終了した後、所定時間、すなわち、図９（ａ），（ｂ）におけるＢからＣの時間（例えば１０秒間）の経過時点におけるサーミスタ１０１による温度検出値が、
（１）図９（ａ）に示すように、温度上昇モードの開始直前におけるサーミスタ１０１による温度検出値（図９（ａ）のＴ１）に近似した値であるとき（すなわち、温度上昇モードの開始直前における温度検出値（図９のＴ１）との差が、所定の閾値温度差（例えば５Ｋ）より小さいとき）、当接体５７が調理用具６０の底面に当接していると判定し、
（２）図９（ｂ）に示すように、温度上昇モードの開始直前におけるサーミスタ１０１による温度検出値（図９のＴ１）より、所定の閾値温度差（例えば５Ｋ）以上大きいとき、当接体５７が調理用具６０の底面に当接していないと判定するように構成されている。
【００４３】
つまり、調理用具６０の熱容量と温度検出装置７２の熱容量との合計が、温度検出装置７２単独の熱容量より大きいこと、および、調理用具６０からの放熱と温度検出装置７２からの放熱との合計が、温度検出装置７２だけからの放熱より大きいことに起因して、当接体５７が調理用具６０の底面に当接していない場合には、当接体５７が調理用具６０の底面に当接している場合に比べて、サーミスタ１０１による温度検出値が高くなることを利用して、当接体５７が調理用具６０の底面に当接しているか否かを判定するように構成されている。
【００４４】
そして、制御部は、当接検出モードの実行によって当接体５７が調理用具６０の底面に当接していないと判定した場合、左点消火操作部４１による点火指令があったときも、コンロバーナ３１による加熱を行わないように構成されている。
因みに、制御部は、当接検出モードの実行によって当接体５７が調理用具６０の底面に当接していると判定した場合、左点消火操作部４１による点火指令があったとき、コンロバーナ３１による加熱を行うように構成されている。
【００４５】
上述のように構成された本願発明の実施形態にかかるガスコンロＡによれば、調理用具６０の温度を検知する温度センサ７２の当接体５７が調理用具６０の底面に当接しているか否かを的確に判別することが可能で、温度センサ７２により検出される温度に基づいた適切な加熱制御を行うことが可能である。
【００４６】
また、この実施形態にかかるガスコンロＡでは、温度上昇モードにおいて、トランジスタＴＲからサーミスタ１０１に通電して自己発熱させるように構成されており、別途加熱手段を必要としないことから構成が簡素化され、製造コストを低減することができる。
【００４７】
［別実施形態］
上記実施形態のガスコンロＡでは、温度上昇モードにおいて、サーミスタ１０１に通電して自己発熱させるように構成しているが、図５に示すように、サーミスタ１０１と熱的に結合する発熱体（ヒータ）１０２を備えた構成とし、温度上昇モードにおいて、この発熱体（ヒータ）１０２に通電して発熱体（ヒータ）１０２を発熱させることにより、サーミスタ１０１の温度を上昇させるようにしてもよい。
【００４８】
なお、図５では、当接体５７を介してサーミスタ１０１と熱的に結合する発熱体（ヒータ）１０２を備えるようにした構成を示しているが、サーミスタ１０１と発熱体（ヒータ）１０２とを直接当接させて（図示せず）、サーミスタ１０１と発熱体（ヒータ）１０２とを熱的に結合するように構成することも可能である。
【００４９】
サーミスタ１０１と熱的に結合する発熱体（ヒータ）１０２を備える上述の構成の場合、図６に示すように、温度上昇モードにおいて、トランジスタＴＲのＯＮによって、サーミスタ１０１ではなく、発熱体（ヒータ）１０２に通電されることになる。その他の構成は図４の場合と同様である。
【００５０】
また、本発明のガスコンロＡにおいては、コンロバーナ３１による加熱を停止した後、コンロバーナ３１による加熱を行わない時間が所定の停止時間（例えば６０分）以上継続している場合において、五徳５０上に調理用具６０が載置されたことを調理用具検出スイッチ１００（図８参照）が検出しているときに、制御部が、温度上昇モードと当接検出モードとを実行するように構成することが可能である。
【００５１】
上記構成を備えることにより、温度上昇モードと当接検出モードとを実行する際、コンロバーナ３１の加熱による熱影響が回避できるので、当接体５７が調理用具６０の底面に当接しているか否かを的確に判定することが可能になる。
【００５２】
また、本発明のガスコンロＡにおいては、制御部が、当接検出モードの実行によって当接体５７が調理用具６０の底面に当接していないと判定してコンロバーナ３１による加熱を行わないとき、報知を行うように構成することも可能である。
【００５３】
その場合、具体的には、例えば以下に説明するような構成とすることができる。当接体５７が調理用具６０の底面に当接していないと制御部が判定した場合、ガスコンロ本体０１の前面の、左点消火操作部４１の近傍領域に配設された付加機能操作・表示部４６（図７参照）のタイマ時間表示部にて、「８８」の点滅を行う。なお、タイマ時間表示部にて、「８８」の点滅を行う報知が、当接体５７が調理用具６０の底面に当接していないと判定され、コンロバーナ３１による加熱を行わないときに発せられる報知であることは、当該ガスコンロＡの取扱説明書に記載され、使用者は、「８８」の点滅による報知の意味を知ることができるように構成されている。
【００５４】
なお、当接体５７が調理用具６０の底面に当接していないと判定され、コンロバーナ３１による加熱を行わない旨の報知は、音声による報知であってもよい。
なお、上述のような報知を行うようにした構成は任意の構成であり，報知を行わないように構成してもよい。
【００５５】
さらに、上述のように、タイマ時間表示部にて、「８８」の点滅を行う上記報知を行っているとき、使用者が所定の操作（本実施形態では、タイマ設定部のプラススイッチとマイナススイッチの３秒以上の同時押し操作）を行うことによって、制御部が、温度上昇モードと当接検出モードとを実行するように構成することも可能である。
【００５６】
さらに詳しく説明すると、例えば、タイマ時間表示部にて、「８８」の点滅を行う上記報知を行っているときに、当接体５７が調理用具６０の底面に当接しない要因（例えばゴミの介在など）を取り除いた後、使用者が所定の操作（本実施形態では、タイマ設定部のプラススイッチとマイナススイッチの３秒以上の同時押し操作）を行うことによって、制御部が、温度上昇モードと当接検出モードとを実行するように構成することができる。
【００５７】
かかる構成とした場合、「８８」の点滅を見て、上記要因を取り除いた後、プラススイッチとマイナススイッチの３秒以上の同時押し操作を行うことにより、制御部が、温度上昇モードと当接検出モードを実行して当接体５７が調理容器６０の底面に当接していると判定して、点消火操作部４１の点火指令により、上述のコンロバーナによる加熱が行われることになるので、使い勝手をさらに向上させることができる。
【００５８】
発明は、その他の点においても上記実施形態に限定されるものではなく、本発明の範囲内において種々の変形を加えることが可能である。
【符号の説明】
【００５９】
Ａ        ガスコンロ（ガステーブルコンロ）
０１      ガスコンロ本体
０１ａ    ガスコンロ本体の前面
０２      トッププレート
３１      左バーナ
３２      右バーナ
３３      炎孔部
４１      左点消火操作部
４２      右点消火操作部
４３      グリル点消火操作部
４４      グリル取っ手
４５      グリル排気口
４６      付加機能操作・表示部
５０      五徳
５１      五徳爪
５２      五徳リング
５３      移動側支持筒
５４      スプリング
５６      固定側支持部材
５７      当接体
５８      サーミスタ固定部材
６０      調理用具
７２      温度検出装置
１０１    サーミスタ
１０２    発熱体（ヒータ）
ＩAD1      入力
Ｒ1        直列抵抗
Ｒth1      サーミスタの抵抗値
Ｖｐ      電源
Ｖth1      電圧（出力電圧）
【図１】
0006762661.tif 000002
【図２】
0006762661.tif 000003
【図３】
0006762661.tif 000004
【図４】
0006762661.tif 000005
【図５】
0006762661.tif 000006
【図６】
0006762661.tif 000007
【図７】
0006762661.tif 000008
【図８】
0006762661.tif 000009
【図９】
0006762661.tif 000010